(57)【要約】      （修正有）【課題】従来、各種液体調味料等を収容する容器は胴部が円筒形に形成されているために、持ち運びの際に複数の容器を一度に手で把持して運ぶことが困難であったり、また保管時にはかなりのスペースを必要とするものが多いので、一度に複数の容器の持ち運びが容易で、さらに冷蔵庫等での保管時により多くの商品を収納できる容器を提供する。【解決手段】口部、胴部、底部からなる合成樹脂製の容器であって、胴部は胴部の長手方向全長にわたって形成された平坦部と、平坦部から連続して形成された曲面部とからなり、曲面部に絞込み部を形成した合成樹脂製の容器とし、また、容器を前記平坦部同士で一対組み合わせて一体にした場合に、絞込み部の把持される部分の外径が把持可能な大きさに形成されている合成樹脂製容器とする。  【選択図】図２
0003134498.tif 000002
【実用新案登録請求の範囲】
【請求項１】
口部、胴部、底部からなる合成樹脂製容器であって、前記胴部は胴部の長手方向全長にわたって形成された平坦部と、該平坦部に連続して形成された曲面部とからなることを特徴とする合成樹脂製容器。
【請求項２】
前記胴部に絞込み部を形成したことを特徴とする請求項１記載の合成樹脂製容器。
【請求項３】
請求項２記載の合成樹脂製容器を、一対組み合わせて一体にした合成樹脂製容器であって、前記各容器の平坦部が当接され、前記絞込み部の把持される部分の外径が、把持可能な大きさに形成されていることを特徴とする合成樹脂製容器。
【請求項４】
前記胴部の平坦部には、シボ加工または凹凸加工などの滑り止め手段を施すことを特徴とする請求項１，２または３記載の合成樹脂製容器。
【請求項５】
前記絞込み部にリブを形成することを特徴とする請求項２または３記載の合成樹脂製容器。
【考案の詳細な説明】
【技術分野】
【０００１】
本考案は、液体等を収容する合性樹脂製の容器に関するものであり、更に詳細に述べると、把持しやすく、また保管時の安定性および省スペース化に優れた合性樹脂製の容器に関するものである。
【背景技術】
【０００２】
従来、飲料やドレッシングなどの各種液体調味料を収容する容器は、胴部が円筒形に形成されているために、持ち運びの際に複数の容器を一度に手で把持して運ぶことが困難であるものや、また保管時には円筒形のためにスペースを必要とするものが多く見られる。近年、消費者の好みが多様化し、又それにあわせて同一商品で味の異なるものが多数市場に出回るようになり、消費者が味違いで商品を購入する機会が増えているので、一度に複数の容器の持ち運びが容易で、さらに冷蔵庫等での保管時により多くの商品を収納できる容器が求められている。
【０００３】
通常、この種の円筒形の容器は、手で掴んだときに滑りやすく、また保持した場合には安定性に欠けるため、胴部の円周上にくびれや窪みを形成して手でつかみ易く持ち易い形状とすることが多い。しかし、従来ではこれらのくびれや窪みは、胴部の円周上の一部に形成されることが多かったので、内容物を注ぐ際には、液体がくびれや窪みに残留しやすい、という問題があった。
【０００４】
また、これらの円筒形の容器は、店頭での陳列時等において、容器が円筒形で転動し易いために垂直姿勢で販売を行うことが多いが、陳列スペースの使用効率が悪く、また家庭での保管に際しても多数の円筒形の容器を冷蔵庫等に保管するのにはかなりのスペースを必要とする。
【０００５】
このため、例えば特許文献１および特許文献２に開示されるように、容器の胴部の円周上の一部ではなく、軸方向の長さ全体にわたり窪みを形成した。これにより胴部の円周上の一部に窪みがある容器に比べて、内容物をよりスムーズに注出することが出来、また形状に安定性が増したために、陳列時に必ずしも垂直姿勢を取らず、水平姿勢で平積みすることも可能となった。
【０００６】
【特許文献１】特開２０００−３４４２２０号公報
【特許文献２】特開平１１−９１７５４号公報
【考案の開示】
【考案が解決しようとする課題】
【０００７】
しかし、これら特許文献１及び特許文献２に示されるものは、垂直姿勢を取った場合には、従来の円筒形の容器と比べて店頭での陳列時等における陳列スペースあるいは家庭での保管時のスペースの大きな優位性はなく、また一度に複数の容器を特に片手で持つことには適していない。本考案は、上述のように、陳列時や保管時におけるスペースの問題点や、持ち運びの際の問題点を解決し、少ないスペースに多くの容器を保管でき、かつ片手または手の小さい子供でも容易に一度に複数の容器を持ち運ぶことができる合成樹脂製の容器を提供することにある。
【課題を解決するための手段】
【０００８】
本考案によれば、口部、胴部、底部からなる合成樹脂製の容器であって、前記胴部は、胴部の長手方向全長にわたって形成された平坦部と該平坦部から連続して形成された曲面部とからなることを特徴とする合成樹脂製容器を提供する。ここで述べる曲面部には、円弧状のみならず、あらゆる曲面をも含むものとする。また該曲面部に絞込み部が形成されることを特徴とする。
【０００９】
また本考案の合成樹脂製容器において、該容器を一対組み合わせて一体にした容器であって、前記各容器の平坦部が当接されるようにした場合に前記絞込み部の把持される部分の外径が把持可能な大きさに形成されていることを特徴とする合成樹脂製容器を提供する。このように２本の容器を前記胴部の平坦面同士で合わせることにより一体化状態にすれば、２本の容器を恰も1本の曲面胴部を有する容器のようにして取り扱うことができる。
【００１０】
また、本考案の合成樹脂製容器の前記胴部の平坦部には、シボ加工または凹凸加工などの滑り止め手段を施すことや、また前記絞込み部にリブを形成することが好ましい。
【考案の効果】
【００１１】
本考案によれば、２本の異なる味の内容物の入った容器の平坦部同士を向かい合わせると容器の側面が曲面状となり、恰も従来の1本の曲面容器のようになるので２本の容器を同時に片手で運ぶことができる。
また、このように２つの容器を平坦部同士で向かい合わせて冷蔵庫に保管することにより、従来の容器に比べて省スペース化を図り多くの容器を並べることができる。また、本考案によれば、胴部に着脱自在のフックを取り付けることができるので冷蔵庫の保管スペースを有効に活用することができる。またさらに、容器胴部に曲面部と平坦部を形成したので、もし容器が転倒した場合でも容器が転動して、容器の収納場所やテーブルなどから転がり落ちる心配もない。
【考案を実施するための最良の形態】
【００１２】
本考案の実施の形態を図面を参照して説明すると、図１は本考案の1実施例を示す容器の正面図とその上面図であり、図２はその側面図とその上面図である。
図３は、本考案の容器の平坦面同士を合わせた場合の側面図と、その上面図である。また、図４は、本考案の容器を冷蔵庫のドアポケット内に保管した場合の上面図であり、また、図５aおよび図５bは本考案の容器を店頭で陳列した場合の上面図で、図５aは１製品ずつ販売する場合、図５bは２つの異なる製品を１つの製品として販売する場合を示している。また図６は本考案の容器にフック等をつけて冷蔵庫に保管した場合の側面図である。
また、図７は本考案の容器の他の実施例を示すものの側面図である。
【００１３】
図１、図２に示すように、容器１００は口部１、胴部２および底部３から構成され、前記胴部２は曲面部４および平坦部５を有している。前記平坦部５は胴部の長手方向全長に亘って形成され、前記曲面部は前記平坦部から連続して形成されている。前記胴部２の曲面部４には、少なくとも胴部２の高さ方向中央より上方の部分に絞込み部６が形成される。また、該絞込み部６を形成した胴部２周囲には補強のためのリブ７が設けられている。また、胴部２の底部３近くにも補強用のリブ８が設けられており、該リブ７からリブ８にかけて、任意の間隔で縦溝が施されている。また、図７に示すように、本考案の容器の別の実施例として、絞込み部６にリブ７を設ける代わりに、絞込み部６より上の曲面部４の周囲に滑り止めと補強を兼ねて複数個の窪み面９を形成することもできる。
【００１４】
図３は、本考案の容器一対を平坦部同士で合わせて一体にした場合に、同時に２本の容器１００，１００を片手で運ぶことができることを示しているものである。この場合、例えば２本の容器を平坦部５で合わせたときの絞込み部６における外径Lを７２ｍｍ程度とすれば、これにより２本の容器が恰も従来の1本の円筒形容器と同程度あるいはより小さい直径を持った容器となるので、容易に２つの容器を片手で同時に把持できるようになる。
【００１５】
また、本考案の合成樹脂製容器において、その口部に施されるキャップは、ヒンジキャップ、スクリューキャップまたはオーバーキャップなど通常の容器用キャップを容器の内容物や用途に応じて適宜選択して施すことができる。
【００１６】
本考案の容器は、胴部が上述したように曲面部と平坦部によって構成されているので、前記したように容器の平坦部同士を向かい合わせて一体状態とすることにより、片手で２本の容器を同時に持ち運ぶことができ、また内容物を収容した本考案の容器を冷蔵庫に保管する場合には、図４に示すように２本の容器を平坦部同士で向かい合わせて冷蔵庫のドアポケットPに収納することができるので、容器を１本ずつ収納する場合よりもより多くの容器を収納することができる。また、図７に示すごとく容器にフックF等をつけて冷蔵庫のドアポケットPに引っ掛けて収納することもできる。
【００１７】
また、図５a、図５bに示すように、本考案の容器を店頭の陳列スペースS１、S２に陳列する際には、１本で陳列しても、また２本一体状態で陳列する場合にも通常の円筒形容器よりも陳列スペースS１、S２を有効に利用できる。さらに２本一体状態で陳列する場合には、例えば味違いの製品、あるいは２本で１つの製品となるものをセットで販売する際などに有利であり、セットで購入してもらい易い。
【００１８】
上記するように本考案の容器の胴部の平坦部には、シボ加工または凹凸加工などの滑り止め手段が施されているので、２本の容器を平坦部同士で合わせたときにずれたり滑ったりすることを防ぐことができ、また１本で使用した場合にもこれらの滑り止め加工によりしっかりと把持することができる。
【００１９】
また、このような平坦部を利用して、両面シールラベルなどを貼って消費者がイラストや文字などを透明内容物を通して見ることができたり、あるいは不透明内容物を使用するにつれてイラストや文字などを見ることができるので、容器の平坦部を利用して情報等を消費者に提供することができる。
【図面の簡単な説明】
【００２０】
【図１】本考案の容器の正面図とその上面図である。
【図２】本考案の容器の側面図とその上面図である。
【図３】本考案の容器の背面同士を合わせた場合の側面図とその上面図である。
【図４】本考案の容器を冷蔵庫のドアポケット内に保管した場合の上面図である。
【図５ａ】本考案の容器を店頭で陳列した場合の上面図で１製品ずつ販売する場合を示した図である。
【図５ｂ】本考案の容器を店頭で陳列した場合の上面図で２つの異なる製品を１つの製品として販売する場合を示した図である。
【図６】本考案の容器にフック等をつけて冷蔵庫に保管した場合の側面図である。
【図７】本考案の容器の別の実施例を示す側面図である。
【符号の説明】
【００２１】
１  口部
２  胴部
３  底部
４  曲面部
５  平坦部
６  絞込み部
７  リブ
８  リブ
９  窪み面
１００  容器
【図１】
0003134498.tif 000003
【図２】
0003134498.tif 000004
【図３】
0003134498.tif 000005
【図４】
0003134498.tif 000006
【図５ａ】
0003134498.tif 000007
【図５ｂ】
0003134498.tif 000008
【図６】
0003134498.tif 000009
【図７】
0003134498.tif 000010